【事件の表示】
　平成１１年特許願第２８９９２８号「ゴルフクラブ」拒絶査定不服審判事件〔平成１２年１１月２８日出願公開、特開２０００−３２５５１１〕について、次のとおり審決する。
【結　論】
　本件審判の請求は、成り立たない。
【理　由】
第１　手続の経緯
　本願は、平成１１年１０月１２日（優先権主張・平成１１年３月１６日）の出願であって、平成２０年７月４日付け拒絶理由通知に対して、同年９月１６日付けで手続補正がなされたが、平成２１年２月１７日付けで拒絶査定がなされ、これに対し、同年３月２４日に拒絶査定不服審判が請求されるとともに、同年４月８日付けで明細書の手続補正がなされたものである。
　これに対し、当審において、平成２１年６月１７日付けで審査官により作成された前置報告書について、平成２１年８月２６日付けで審尋を行ったところ、審判請求人は同年１０月１４日付けで回答書を提出した。　
　さらに、平成２２年４月２０日付けで拒絶の理由（最初）を通知したところ、同年６月２５日付けで明細書の手続補正がなされたものである。
　　　
第２　本願発明
　本願の請求項１ない５に係る発明は、平成２２年６月２５日付け手続補正書にて補正された請求項１ないし５に記載された事項により特定されるとおりのものであり、その請求項１に係る発明は、以下のとおりのものである（以下「本願発明」という。）。 
　　
「【請求項１】
　一定の外径で先端から後端側へのびる等径部と、
　この等径部に連なりかつ外径が後端側に向けて徐々に小となる第１のテーパ部と、
　この第１のテーパ部に連なりかつ外径が後端側に向けて徐々に大となる第２のテーパ部とを含むとともに、
　前記等径部の外径を９．０〜１５．０ｍｍとしたインナーホーゼルタイプのゴルフクラブ用シャフトの前記等径部を前記ホーゼルのシャフト取付孔に挿入して該等径部の
外周面のみを
　前記等径部は、前記シャフト取付孔と接着剤を介して接着される接着部と、前記シャフト取付孔からはみ出すはみ出し部とを含み、
　かつ前記接着部の軸方向長さを２１．５〜３６．０ｍｍとし、しかも前記はみ出し部の軸方向長さを２０〜５０ｍｍとしたことを特徴とするゴルフクラブ。」（下線は審決で付した。以下同じ。）
 　     　
第３　刊行物の記載事項 
１　当審の拒絶理由で引用した本願出願前に頒布された刊行物である実願昭６２−９６１１８号（実開昭６４−９６７号）のマイクロフィルム（以下「引用文献１」という。）には、図とともに以下の事項が記載されている。 
　  　         　
（１） 「２．実用新案登録請求の範囲
１．ヘッド１のホーゼル部３に、底面部５から内部突出部７を突設した盲状のシャフト挿入孔８を、形成すると共に、該シャフト挿入孔８にシャフト４の挿入部６を挿入して、該挿入孔８の内周面９と該シャフト４の挿入部６の外周面１０、及び、該挿入部６の内周面１１と上記内部突出部７の外周面１２を、夫々接着したことを特徴とする
アイアン型クラブ
　　
（２）「
一般に、アイアン型クラブは、シャフトとヘッドとグリップからなり
シャフト先端部の挿入長さは２５〜３５ｍｍ位
　
そして、この場合、挿入されたシャフトの外周面とシャフトの挿入孔との間に接着剤が介装されて接着されていた。従って、シャフトの挿入深さによって接着力が決定される
　
（３）「近年、アイアン型ヘッドの外観は複雑化、多様化しており、上記シャフト挿入孔が形成される
ホーゼル部が短く設定される傾向にあり、このホーゼルが短くなれば、シャフトの挿入長さが短くなり、接着力が低下する問題点があった
　
（４）「本考案では、上述のこのような従来の問題点を解決して、
ホーゼル部が短い場合であっても
　
（５）「上述の如く構成された
ホーゼル部３の挿入孔８に、第２図に示す様に、シャフト４の挿入部６にて内部突出部７を外嵌するように
　このように、シャフト４をヘッド１に取付ければ、その接着面積は、内部突出部７を有さない挿入孔に比べて増大し、その接着力は増加する。具体的には、実験では、
挿入部６の外径寸法Ｃを９．４ｍｍ、該挿入部６の内径寸法を８．５ｍｍ、挿入孔８の内径寸法Ｅを９．５ｍｍ、内部突出部７の外径寸法Ａを８．４ｍｍとし、かつ、挿入孔８の内周面９とシャフト４の挿入部６の外周面１０との接着長さ寸法ｌ
１
を３０ｍｍ、挿入部６の内周面１１と内部突出部７の外周面１２との接着長さ寸法ｌ
２
を２０ｍｍとした場合において、内部突出部７を有さない場合に比べて接着強度が６０％増加した
　
（６）第１、２図から、
外径が等しい挿入部
　　     　
（７）上記（２）に「一般に、アイアン型クラブは、シャフトとヘッドと
グリップからなり
              
　上記のことから、引用文献１には次の発明が記載されている（以下「引用発明１」という。）と認められる。 
 　　　             
「ヘッドのホーゼル部に底面部から内部突出部を突設したシヤフト挿入孔を形成すると共に、シャフト挿入孔にシャフト挿入部を挿入して、シャフト挿入孔の内周面とシヤフト挿入部の外周面及びシャフト挿入部の内周面と内部突出部の外周面を、夫々接着したアイアン型クラブにおいて、
　
外径が等しい挿入部
　シャフト挿入部の外径寸法を９．４ｍｍ、シャフト挿入部の内径寸法を８．５ｍｍ、シャフト挿入孔の内径寸法を９．５ｍｍ、内部突出部の外径寸法を８．４ｍｍとし、かつ、シャフト挿入孔の内周面とシャフト挿入部の外周面との接着長さ寸法ｌ１を３０ｍｍ、シャフト挿入部の内周面と内部突出部の外周面との接着長さ寸法ｌ２を２０ｍｍとした、アイアン型クラブ。」
 　　
２　当審の拒絶理由で引用した本願出願前に頒布された刊行物である特開平８−８９６０５号公報（以下「引用文献２」という。）には、図とともに以下の事項が記載されている。 
    　
（１）「【特許請求の範囲】
【請求項１】  繊維強化プラスチックからなる中空ゴルフクラブシャフトにおいて、
（ｉ）
シャフトのチップ側先端の内径が少なくとも７ｍｍで、外径が少なくとも８ｍｍであること
（ii）
シャフトのチップ側先端からＨ
1
点までのシャフトの外径が実質的に同じであり、該Ｈ
1
点はシャフトのチップ側先端から２０〜１７０ｍｍの範囲に位置すること
（iii）シャフトのチップ側先端からＧ1点までのシャフトの内径が実質的に同じであり、該Ｇ1点は、シャフトの全長に対するシャフトのチップ側先端からの距離の比で表わした位置において、２０〜５０％の範囲に位置すること、
（iv）シャフト全長に対するシャフトのチップ側先端からの距離の比で表わした位置において、１０〜４５％の範囲の位置に捩り剛性値極小点Ｃ又は極小域Ｆ有し、かつ４０〜４７％の範囲の位置にキックポイントＱを有すること、
（ｖ）前記Ｈ1点と極小点Ｃ又は極小域Ｆとの間の外径が、極小点Ｃ又は極小域Ｆの方向に向けて徐々に減少すること、を特徴とするゴルフクラブシャフト。」　
        　　　
（２）「【０００２】
【従来の技術】従来、
繊維強化プラスチック（ＦＲＰ）製の中空ゴルフクラブシャフト
一般的には、そのチップ側先端部をクラブヘッドのシャフト取付け穴内に挿入し、接着剤により接着固定化される
しかし、チップ側先端部の外径を大きくすると、この場合には、そのチップ側先端部をクラブヘッドのホーゼル内に挿入することができなくなるため
一方、シャフトの平均内径及び平均外径が大きくなりすぎると、ＦＲＰ製中空シャフトの特徴であるしなり性が損われるとともに、シャフトのキックポイントがグリップ側に大きく移動するため、ゴルフクラブとしての特性が損われ、打球が上らない、飛距離が低下する、スイング感触がわるい等の問題が生じる
　　　　　　　　
（３）【０００６】
本発明のシャフトは、そのチップ側先端部にジョイントをあらかじめ連結させたものであってもよいし、連結させないものであってもよい
    　　
（４）「【０００７】次に、
本発明のジョイントを有しないシャフトについて図面を参照して説明する
Ｂは、シャフトのチップ側先端部における外径が実質的に同じである部分を示す。Ｆは、シャフトにおける外径分布の極小域を示す。Ｆ
1
〜Ｆ
2
はその極小域の長さを示し、その長さは３００ｍｍ以下、好ましくは２５０ｍｍ以下である。また、この外径分布極小域Ｆの長さはゼロ、即ち極小点Ｃであってもよい
シャフトの外径は、このＨ
1
点からグリップ側に向けて徐々に減少する
    　
（５）「【０１０１】実施例３（
アイアンゴルフクラブシャフトの製造例
（シャフト本体の製造）下記Ｎｏ．１〜Ｎｏ．７のプリプレグを用意した。これらのプリフレグは炭素繊維にエポキシ樹脂組成物を含浸させて形成したものである。なお、以下において示す繊維配向角度において、＋は長さ方向に対して右廻りの角度であることを示し、−は左廻りの角度であることを示す。
・・・（略）・・・　
【０１０２】
・・・（略）・・・　
（５）前記のようにして得られたプリプレグ巻成体を加熱炉において加熱し、プリプレグ中の樹脂を一体に硬化させた後、マンドレルを除去し
、チップ側１０ｍｍとバット側１９ｍｍを切断除去してシャフト素管を得た。ついで素管の表面を研磨・研削かこうしてアイアンゴルフクラブ用シャフト本体を得た
チップ側先端の外径（Ｙ
1
）は１１．６ｍｍ及び内径（Ｘ
1
）は８．５ｍｍ、そのバット側外径（Ｙ
2
）は１５．０ｍｍ及び内径（Ｘ
2
）は１２．０ｍｍ、その長さは９９１ｍｍ、である。また、前記で示したＨ
1
点及びＧ
1
の位置は、それぞれチップ側先端から４０ｍｍ及び３７０ｍｍの位置であり、前記で示したＨ
2
＝Ｇ
2
点は、シャフトバット側先端から３１ｍｍの位置にある
　　　
（６）「【０１１１】
【発明の効果】本発明のゴルフクラブシャフト及びゴルフクラブは、
そのシャフトのチップ側先端部が従来一般のシャフトよりも太径に形成されていることから、そのシャフトのチップ側先端部の捩り剛性値は非常に高く、打球の方向安定性において著しくすぐれたものである
本発明のシャフトは、そのチップ側先端部が太径に形成されているにもかかわらず、シャフトの中間部の外径はそれ程太くないことから、ゴルフクラブとしてスイングしたときに、クラブのしなり性がよく、スイングの感触がよい
　
（７）図１から、シャフトのチップ側先端に外径が実質的に同じである部分（以下「
等径部
この等径部に連なり外径が後端側に向けて徐々に小さくなる部分（以下「
第１のテーパ部
この第１のテーパー部に連なる
外径分布極小域
この外径分布極小域に連なり外径が後端側に向けて徐々に大きくなる部分（以下「
第２のテーパ部
    　　
（８）上記（４）から、上記（７）の中空ゴルフクラブシャフトにおいて、「外径分布極小域」の長さをゼロとした場合、「第１のテーパー部に連なり外径が後端側に向けて徐々に大きくなる第２のテーパ部と、を含む中空ゴルフクラブシャフト」ということになる。
　                           　
　上記のことから、引用文献２には次の発明が記載されている（以下「引用発明２」という。）と認められる。
　　　　
「シャフトのチップ側先端の
等径部
　この等径部に連なり外径が後端側に向けて徐々に小さくなる
第１のテーパ部
　この第１のテーパー部に連なり外径が後端側に向けて徐々に大きくなる
第２のテーパ部
　を含む中空ゴルフクラブシャフトにおいて、
　シャフトのチップ側先端の内径を少なくとも７ｍｍ、外径を少なくとも８ｍｍ、等径部の長さを２５〜１７０ｍｍとすることにより、
　チップ側先端部が太径に形成されているにもかかわらず、シャフトの中間部の外径はそれ程太くないことから、ゴルフクラブとしてスイングしたときに、クラブのしなり性がよく、スイングの感触がよい、中空ゴルフクラブシャフト。」
　　　　　　　 
第４　対比・判断　　 
１　対比　
（１）本願発明と引用発明１との対比 　
　ア　引用発明１の「外径が等しい挿入部」は、本願発明の「等径部」に相当し、同様に、
「シャフト挿入部の外径寸法」は「等径部の外径」に、
「インナーホーゼルタイプのアイアン型クラブ用シャフト」は「インナーホーゼルタイプのゴルフクラブ用シャフト」に、
「シヤフト挿入孔」は「シャフト取付孔」に、相当する。
　  　
　イ　引用発明１は「シャフト挿入孔の内周面とシヤフト挿入部の外周面及びシャフト挿入部の内周面と内部突出部の外周面を、夫々接着した」ものであるから、引用発明１と本願発明は「等径部は、前記シャフト取付孔と接着剤を介して接着される接着部を含み」という点で共通する。
　  　
　ウ　上記イより、 引用発明１の「接着長さ寸法ｌ１」 は、本願発明の「接着部の軸方向の長さ」に、相当する。
    　
　エ　上記アないしウより、
　引用発明１の「外径が等しい挿入部を含むインナーホーゼルタイプのアイアン型クラブ用シャフトであって、シャフトの後端部にグリップを備え、
　
シャフト挿入部の外径寸法を９．４ｍｍ
外周面との接着長さ寸法ｌ
１
を３０ｍｍ
  　
　本願発明の「
等径部の外径を９．０〜１５．０ｍｍ
外周面のみを
　前記等径部は、前記シャフト取付孔と接着剤を介して接着される接着部と、前記シャフト取付孔からはみ出すはみ出し部とを含み、
　かつ前記
接着部の軸方向長さを２１．５〜３６．０ｍｍ
　　
「
等径部の外径を９．０〜１５．０ｍｍの範囲内
外周面を
　前記等径部は、前記シャフト取付孔と接着剤を介して接着される接着部を含み、
　かつ前記
接着部の軸方向長さを２１．５〜３６．０ｍｍの範囲内
　　　　  　　
（２）してみると、本願発明と引用発明１とは以下の点で一致する。 
　＜一致点＞ 
「一定の外径で先端から後端側へのびる等径部を含み、
　前記
等径部の外径を９．０〜１５．０ｍｍの範囲内
外周面を
　前記等径部は、前記シャフト取付孔と接着剤を介して接着される接着部を含み、
　かつ前記
接着部の軸方向長さを２１．５〜３６．０ｍｍの範囲内
　　　　　　　　　　
（３）一方で、本願発明と引用発明１は、以下の点で相違する。 
　＜相違点１＞ 
　シャフトの形状に関し
　本願発明が「等径部に連なりかつ外径が後端側に向けて徐々に小となる第１のテーパ部と、
　この第１のテーパ部に連なりかつ外径が後端側に向けて徐々に大となる第２のテーパ部とを含む」と特定されるものであるのに対して、引用発明１では上記特定を備えているか否か不明である点。
　　
　＜相違点２＞
　接着箇所に関し
　本願発明が「等径部の
外周面のみを
　　　　
　＜相違点３＞
　等径部に関し
　本願発明が「シャフト取付孔からはみ出すはみ出し部とを含み」、かつ「しかも前記はみ出し部の軸方向長さを
２０〜５０ｍｍ
  　　　    　　
２　判断
（１）上記＜相違点１＞について 
　ア　引用発明２の「中空ゴルフクラブシャフト」は、等径部の内径が少なくとも７ｍｍ、外径が少なくとも８ｍｍ及び長さが２５〜１７０ｍｍであることから、引用発明１の「シャフト挿入孔」に挿入可能であり、しかも、ゴルフクラブとしてスイングしたときに、クラブのしなり性がよく、スイングの感触がよいものであるから、引用発明２の「中空ゴルフクラブシャフト」
を引用発明１のインナーホーゼルタイプのゴルフクラブ用シャフトとして採用することは、当業者が容易に着想し得ることである。
　      　
　イ　引用発明２の「中空ゴルフクラブシャフト」を採用した引用発明１は「等径部に連なりかつ外径が後端側に向けて徐々に小となる第１のテーパ部と、
　この第１のテーパ部に連なりかつ外径が後端側に向けて徐々に大となる第２のテーパ部とを含む」との構成を備えることになる。
　　
　ウ　以上のことから、引用発明１において、上記＜相違点１＞に係る本願発明の構成を採用することは、当業者が容易になし得たことである。 
 　　　 
（２）上記＜相違点２＞について 　　　 
　ア　引用文献１には、従来のシャフトの固定に関し「シャフト先端部の挿入長さは
２５〜３５ｍｍ位
　そして、この場合、挿入されたシャフトの外周面とシャフトの挿入孔との間に接着剤が介装されて接着されていた。従って、
シャフトの挿入深さによって接着力が決定される
　上記接着力の大小は、シャフトの挿入深さだけではなく、シャフト挿入部の外径、接着剤の種類及び接着面の構造等にも依存することは、当業者にとって明らかである。
  　
　イ　してみれば、引用発明１において、シャフトの挿入深さやシャフト挿入部の外径等を調節し、シャフト挿入部の外周面とシャフト挿入孔の内周面との間を接着により接着することは、当業者が適宜なし得たことである。
　  　
　ウ　そして、上記イのように接着することで必要な接着力が得られる場合に、「シャフト挿入部の内周面と内部突出部の外周面」との間を接着しないようにすることも、適宜なし得たことである。　
　  　
　エ　以上のことから、引用発明１において、上記＜相違点２＞に係る本願発明の構成を採用することは、当業者が適宜なし得たことである。 
 　　　　    　
（３）上記＜相違点３＞について　　　
　ア　シャフト取付孔の先端において、応力集中によるシャフト破損のおそれのあることは、本願出願前に周知の事実である（例えば、特開平１０−１５１２２８号公報の【０００３】、特開平１０−５７５３３号公報の【０００３】を参照。以下「周知事実」という。）。　
　  　　
　イ　してみると、引用発明１において、引用発明２の「中空ゴルフクラブシャフト」を採用した際に、シャフト取付孔の先端にシャフトの外径が細くなる「第１のテーパ部」が位置しないように、等径部の長さを「５０〜８０ｍｍ」とすることは、当業者が適宜なし得たことである。
　  　
　ウ　等径部の長さを「５０〜８０ｍｍ」とした引用発明２の「中空ゴルフクラブシャフト」を採用した引用発明１は、「シャフト取付孔からはみ出すはみ出し部とを含み」、かつ「しかも前記
はみ出し部の軸方向長さを２０〜５０ｍｍ
　     　
　エ　以上のことから、引用発明１において、上記＜相違点３＞に係る本願発明の構成を採用することは、当業者が適宜なし得たことである。 
    　
　また、本願発明の効果も、引用発明１、２の奏する効果及び周知事実から当業者が予測し得る範囲内のものである。
            　                      　　
　＜相違点についてのまとめ＞  
　以上のことから、引用発明１において、上記＜相違点１＞乃至＜相違点３＞に係る本願発明の構成を採用することは、当業者が引用発明２及び周知事実に基づいて容易になし得たことである。  
　また、本願発明の奏する効果も、引用発明１、２の奏する効果及び周知事実から当業者が予測し得る範囲内のものである。  
　 　　　 
第５　むすび  
　以上のとおり、本願発明は、引用刊行物に記載された発明及び周知事実に基づいて当業者が容易に発明をすることができたものであるから、特許法第２９条第２項の規定により特許を受けることができない。  
　よって、結論のとおり審決する。